(57)【要約】【課題】照明効率を低下させることなく、蓄光が十分に行われるようになされ、また、蓄光体により遠く離れた場所をも即時に移動して照明することが出来る蓄光型照明装置１を提供する。【解決手段】太陽、白熱灯、蛍光灯等の光源から放射された入射光を蓄積する蓄光部３と、入射光を反射し反射光として蓄光部３へ入射させる反射部２と、からなり、入射光と反射光とを同時に蓄光部３に入射し蓄光として蓄光部３に蓄積し、入射光が停止されると蓄光部３に蓄積された蓄光を放射して照明光とする、蓄光型照明装置１から構成されるものである。【選択図】  図１
2010097887.tif 000002
【特許請求の範囲】
【請求項１】
太陽、白熱灯、蛍光灯等の光源から放射された入射光を蓄積する蓄光部と、
前記入射光を反射し反射光として蓄光部へ入射させる反射部と、からなり、
前記入射光と前記反射光とを同時に前記蓄光部に入射し蓄光として前記蓄光部に蓄積し、前記入射光が停止されると前記蓄光部に蓄積された前記蓄光を放射して照明光とすることを特徴とする蓄光型照明装置。
【請求項２】
透明の１の円筒部材の表面に蓄光材を付加した前記蓄光部と、前記１の円筒部材より口径が大なる透明の２の円筒部材に該２の円筒部材の略半分の面積を有する反射材を付加した前記反射部と、前記２の円筒部材の中に前記１の円筒部材を設置し前記１の円筒部材と前記２の円筒部材とを固定する固定部と、からなることを特徴とする請求項１に記載の蓄光型照明装置。
【発明の詳細な説明】
【技術分野】
【０００１】
本発明は、太陽、白熱灯、蛍光灯等から放射される光を蓄光体に蓄光として蓄積し、この放射される光の停止後に蓄光体に蓄積された蓄光を放射して照明光とする蓄光型照明装置に関する。
【背景技術】
【０００２】
従来、例えば、特許文献１に記載されているように、照明器具からの光を蓄光する蓄光体を照明器具の近傍に設置し、照明器具からの光を蓄光体に蓄光した後、照明器具の近傍から取り外して携帯することによって、この蓄光体の蓄光を照明光として放射することにより、照明器具から遠く離れた場所を照明していた。
以下、図面を参照しつつ、従来の蓄光型照明装置について説明する。
【０００３】
図４は、従来の蓄光型照明装置における構成を示す断面図である。
【０００４】
従来の蓄光型照明装置１００は、図４に示すように、着脱可能となされた蓄光体１０１を、ソケット１０２とソケット１０２に取り付けられる光源１０３とからなる照明器具の近傍に取り付けること、により構成されている。光源１０３は、白熱灯や、発光管などである。
【０００５】
蓄光体１０１は、照明器具の近傍に装着されているときに、光源１０３からの照明光によって蓄光する。蓄光体１０１は、半透明材料により形成されており、照明器具の近傍に装着されたときに、光源１０３を覆うようになっている。
【０００６】
この実施の形態において、蓄光体１０１は、円盤状の底板部及び円錐面状の側壁部とから円錐台形状に構成されている。この蓄光体１０１の上端部は、底板部よりも大きな開口端となっており、光源１０３が挿入されるようになっている。
【０００７】
この蓄光体１０１は、光源１０３の周囲を覆って配置されるので、光源１０３が発する照明光により、直接、蓄光体１０１中の蓄光材料が励起され、蓄光体１０１の発光輝度を大きくしている。
【０００８】
この蓄光型照明装置１００において、蓄光体１０１が照明器具の近傍に装着されているときに、光源１０３が通常の使用状態となされて照明光を発することにより、この照明光による周囲の照明が行われるとともに、蓄光体１０１による蓄光が行われる。
【０００９】
このとき、光源１０３から発せられた照明光は、一部が蓄光体１０１中の蓄光材料の励起に消費され、残部が蓄光体１０１を透過して、周囲を照明する。また、蓄光材料が励起されることによって、蓄光体１０１からも照明光が発せられ、光源１０３から発せられ蓄光体１０１を透過する照明光とともに、周囲を照明する。そして、光源１０３が消灯されたときには、蓄光体１０１が発する照明光のみにより、周囲の照明が行われる。
【００１０】
そして、蓄光体１０１は、照明器具の近傍から離脱されたときに、この蓄光体１０１から発する照明光によって、照明を行う。照明器具の近傍から取外した蓄光体１０１は、無給電型の蓄光型照明装置として、携帯して使用される。
【特許文献１】特開２００８−４７３７６号公報
【発明の開示】
【発明が解決しようとする課題】
【００１１】
前述のような蓄光体を用いた従来の蓄光型照明装置においては、蓄光体に直接光を照射して十分な蓄光を行うために照明器具の近傍に着脱可能な蓄光体が構成されており、照明器具の光源から照明光が発生されるときには蓄光体に蓄光し、照明器具の光源が消灯された時には蓄光体から蓄光が照明光として発生される。
このため、照明器具の光源から照明光が発生されるときには、蓄光体が照明光のほとんどを遮り照明効率を著しく低下させるので、蓄光体を透過して照明に必要な光量を得るためには照明器具の光源に供給される電力エネルギーを増加させなければならないと言う問題点があった。
また、照明器具は照明範囲を広く取るときには手の届かないような高い位置に設置されることがあり、このような時には蓄光体を照明器具の近傍から即時に取外すことは困難であると言う問題点があった。
【００１２】
そこで、本発明は、前述の実情に鑑みて提案されるものであって、照明効率を低下させることなく、蓄光が十分に行われるようになされ、また、蓄光体により遠く離れた場所をも即時に移動して蓄光による照明を行うことが出来る蓄光型照明装置を提供することを目的とする。
【課題を解決するための手段】
【００１３】
本願発明における第1の発明は、
太陽、白熱灯、蛍光灯等の光源から放射された入射光を蓄積する蓄光部３と、入射光を反射し反射光として蓄光部３へ入射させる反射部２と、からなり、入射光と反射光とを同時に蓄光部３に入射し蓄光として蓄光部３に蓄積し、入射光が停止されると蓄光部３に蓄積された蓄光を放射して照明光とすることを特徴とする蓄光型照明装置１を提供するものである。
本願発明における第２の発明は、
透明の１の円筒部材３１の表面に蓄光材３２を付加した蓄光部３と、蓄光部３より口径が大なる透明の２の円筒部材２１に２の円筒部材２１の略半分の面積を有する反射材２２を付加した反射部２と、２の円筒部材２１の中に１の円筒部材３１を設置し１の円筒部材３１と２の円筒部材２１とを固定する固定部４と、からなることを特徴とする請求項１に記載の蓄光型照明装置を提供するものである。
【発明の効果】
【００１４】
本発明によれば、太陽、白熱灯、蛍光灯等の光源から放射された入射光を蓄積する蓄光部と、入射光を反射し反射光として蓄光部へ入射させる反射部と、からなり、入射光と反射光とを同時に蓄光部に照射して高効率に蓄光として蓄光部に蓄積し、入射光が停止されると蓄光部に高効率に蓄積された蓄光を放射して照明光とするので、光源から放射された入射光のうちの照明光部分を遮ることのない位置に蓄光部を設置しても十分な蓄光が得られるため、光源へ供給される電力を蓄光のために増やさなくとも良く、さらに、蓄光部は光源から離れた手の届く位置に設置出来るから、例えば光源の位置が手の届かない位置にあっても蓄光体を即時に手にしての移動は可能となり、光源から遠く離れた場所に蓄光体を即時に移動して蓄光による照明を行うことが出来る。
【発明を実施するための最良の形態】
【００１５】
以下に本発明の実施形態に係る蓄光型照明装置について図１〜図３を用いて説明する。
図１は、本発明の実施形態における蓄光型照明装置１を説明するための図であり、（１）は上面を示す図であり、（２）は側面を示す図である。
図２は、本発明の実施形態における蓄光型照明装置１の動作を、上面図を用いて説明するための図である。
図３は、本発明の実施形態における蓄光型照明装置１の動作を図１（１）のＡ−Ａ断面図を用いて説明するための図である。
【００１６】
図１（１）、図１（２）に示すように、本発明の実施形態においては、光源から放射される光を受光して蓄光し光源から放射される光が消滅すると蓄光した光を照明光として放射する蓄光型照明装置１は、光を反射する反射部２と、光を蓄光する蓄光部３と、反射部２と蓄光部３を保持するための保持部４と、反射部２と蓄光部３を保護するための保護カバー５と、から構成されるものである。
【実施例】
【００１７】
次に詳細に実施例を説明すると、
反射部２は、ガラス、プラスチック等の透明な長さＣで直径Ａの中空の円筒部材２１の外側周囲略半分（Ａ／２）もしくは内側周囲略半分の図１（１）の反射材２２および図１（２）の斜線部分を示す部分に、アルミ箔、アルミ蒸着、或いは白色塗料、白色蓄光塗料等の反射材２２を付加してなり、
蓄光部３は、ガラス、プラスチック等の透明な長さＣで直径が（Ａ／２）に等しいかそれ以下の直径Ｂの中空の円筒部材３１の外側周辺の略全てに、光を蓄光する蓄光材３２を付加してなり、
保持部４は、反射部２の透明な円筒部材２１の直径Ａと等しいかそれ以上の円盤状の厚さｔ１の木材、ガラス、プラスチック等に、反射材或いは蓄光材を付加してなり、
保護カバー部５は、反射部２の透明な円筒部材２１の直径Ａと等しいかそれ以上の円盤状の厚さｔ２のガラス、プラスチック等の透明部材からなり、
反射部２の内側に図１（１）に示すように蓄光部３を位置させ、保持部４に反射部２と蓄光部３との下部を接着剤或いは螺子類により固定する。同様に保護カバー部５を反射部２と蓄光部３との上部を接着剤或いは螺子類により固定する。蓄光部３の位置は、反射材２２の中央部を通り円筒部材２１の内側で接する箇所から反射材２２の両側の側面端を形成する面と接する箇所として図２に示されている設置範囲内に設置する。
【００１８】
次に動作を説明する。
図２に示すように、本発明の実施形態の蓄光型照明装置１においては、太陽、白熱灯、蛍光灯等の光源から入射光Ｐ０が円筒部材２１、円筒部材３１に直向に保持部４と保護カバー５とは並行に放射されると、入射光Ｐ０は透明な円筒部材２１を透過して蓄光部３に照射され蓄光材３２の位置Ｘ１で蓄光される。このとき入射光Ｐ０の一部は蓄光材３２の位置Ｘ１にとどまらず透過するが蓄光材３２の位置Ｘ２に到達すると再び蓄光される。更に蓄光材３２の位置Ｘ２を入射光Ｐ０が透過すれば反射部２の反射材２２で反射され再び蓄光材３２に向け反射されると蓄光材３２で更に蓄光されるので入射光Ｐ０は高効率で蓄光材３２に蓄光される。
【００１９】
太陽、白熱灯、蛍光灯等の光源からは入射光Ｐ０に平行して蓄光部３には直接入射されない入射光Ｐ１、入射光Ｐ２も透明な円筒部材２１を透過して放射されるから、反射部２の反射材２２でこれら入射光Ｐ１、入射光Ｐ２は反射され、それぞれ反射光Ｐ１、反射光Ｐ２となり蓄光部３の蓄光材３２に照射され蓄光される。
このようにして、蓄光部３の蓄光材３２には光源から直接入射されない入射光も照射され蓄光されるからより高効率で蓄光できる。
【００２０】
図３に示すように、本発明の実施形態の蓄光型照明装置１の上部へ、太陽、白熱灯、蛍光灯等の光源より入射光Ｐ３が放射されると、入射光Ｐ３は透明な保護カバー５を透過して蓄光部３に照射され蓄光材３２に蓄光される。このとき入射光Ｐ３の一部は図２で説明した如く、蓄光材３２の位置にとどまらず透過するが蓄光材３２の他の位置で再び蓄光される。更に蓄光材３２を入射光Ｐ３が透過すれば反射部２の反射材２２で反射され再び蓄光材３２に向け反射され蓄光されるので入射光Ｐ３は高効率で蓄光材３２に蓄光される。
【００２１】
太陽、白熱灯、蛍光灯等の光源からは入射光Ｐ３に平行して透明な保護カバー５或いは透明な円筒部材２１を透過して蓄光部３には直接入射されない入射光Ｐ４、入射光Ｐ５も放射されるから、反射部２の反射材２２で入射光Ｐ４は反射されて反射光Ｒ４、保持部４の表面で入射光Ｐ５は反射されて反射光Ｒ５、となりそれぞれ蓄光部３の蓄光材３２に照射され蓄光される。
このようにして、本発明の実施形態の蓄光型照明装置１の上部から蓄光部３の蓄光部には光源から直接入射されない入射光も照射されて蓄光されるからより高効率で蓄光できる。
【００２２】
以上述べてきたように、本発明の実施形態によれば、太陽、白熱灯、蛍光灯等の光源から入射光が蓄光型照明装置１に直向から上部の範囲で照射されれば、蓄光部は複数の方向から入射光を照射されて高効率で蓄光されるから、光源から離れた位置に蓄光型照明装置１を設置しても十分な蓄光ができる。このため光源から放射される光のうち照明に用いる部分を遮ることなく蓄光型照明装置１に蓄光できるから、光源に供給される電力等のエネルギーを蓄光のために増やさなくともよい。        
さらに、光源から離れた手の届く位置に蓄光型照明装置１を設置しておけば、この蓄光型照明装置１の移動が容易となり蓄光による遠隔の照明が即時に可能となる。
また、円筒部材２１、円筒部材３１に軽量なプラスチックを用いればより携帯性を良くすることが出来る。
【００２３】
尚、本発明の蓄光型照明装置１において、透明の円筒部材２１を全円筒として説明してきたが、半円筒として、側面に反射部材を付加し、この半円筒内に蓄光部３を設置しても同様の効果を得られることは、もちろんである。
【産業上の利用可能性】
【００２４】
本発明は、屋外における外灯としての利用が可能で、特に電力の供給されない山間部、未開拓地、等に容易に設置できる。また屋内の非常灯、演奏会場の演奏時に照明を消した時のガイド灯としても十分利用できる。
特に、使用時に電気、熱、風力、等諸エネルギーは直接用いず、間接的に照射される光のみを利用するため省エネルギーに効果があるのは自明である。
【図面の簡単な説明】
【００２５】
【図１】本発明の実施形態における蓄光型照明装置１を説明するための図であり、（１）は上面を示す図であり、（２）は側面を示す図である。
【図２】本発明の実施形態における蓄光型照明装置１の動作を図１（１）の上面を示す図を用いて説明するための図である。
【図３】本発明の実施形態における蓄光型照明装置１の動作を図１（１）のＡ−Ａ断面を用いて説明するための図である。
【図４】従来の蓄光型照明装置を説明するための図である。
【符号の説明】
【００２６】
１  蓄光型照明装置
２  反射部
２１  円筒部材
２２  反射材
３  蓄光部
３１  円筒部材
３２  蓄光材
４  保持部
５  保護カバー部  
【図１】
2010097887.tif 000003
【図２】
2010097887.tif 000004
【図３】
2010097887.tif 000005
【図４】
2010097887.tif 000006